Podtech/llm-jp-corpus-v4-ja_patent huggingface dataset:
【手続補正書】
【提出日】平成21年3月2日(2009.3.2)
【手続補正１】
【補正対象書類名】特許請求の範囲
【補正対象項目名】全文
【補正方法】変更
【補正の内容】
【特許請求の範囲】
【請求項１】
水平または垂直に伸びた直線を頂点とする傾斜した平面または曲面により形成された前面及び後ろ面を有するコンテナと、当該コンテナの傾斜した平面または曲面に密着し、当該コンテナの進行に伴い上下または左右に開閉する互いに平行に配置された扉と、当該扉とともに密閉された密閉空間を形成する上下左右の壁と、当該密閉空間と外気を結び外気に向かってのみ空気を流すチャッキバルブを備えた管と、当該密閉空間と減圧室を結び当該密閉空間に向かってのみ空気を流すチャッキバルブを備えた管によって構成された予備室を有し、当該コンテナが当該予備室内を進行する度に、当該減圧室内の空気が外気に排気されることを特徴とする搬送システム。
【請求項２】
請求項１における減圧室を昇圧室に置き換え、請求項１における当該密閉空間と外気を結び外気に向かってのみ空気を流すチャッキバルブを備えた管の代わりに、当該密閉空間と外気を結び当該密閉空間に向かってのみ空気を流すチャッキバルブを備えた管を備え、かつ、請求項１における当該密閉空間と減圧室を結び当該密閉空間に向かってのみ空気を流すチャッキバルブを備えた管の代わりに、当該密閉空間と当該昇圧室を結び当該昇圧室に向かってのみ空気を流すチャッキバルブを備えた管を備え、請求項１におけるコンテナが予備室内を進行する度に、外気が当該昇圧室内に排気されることを特徴とする請求項１の搬送システム。
【請求項３】
請求項１または請求項２の搬送システムの用に供する請求項１のコンテナ。
【手続補正２】
【補正対象書類名】明細書
【補正対象項目名】発明の名称
【補正方法】変更
【補正の内容】
【発明の名称】搬送システム
【手続補正３】
【補正対象書類名】明細書
【補正対象項目名】００１０
【補正方法】変更
【補正の内容】
【００１０】
コンテナの進行方向に対する前後の面を、垂直方向または水平方向に伸びた直線を頂点とした傾斜した平面または曲面により構成し、開閉扉を当該コンテナの傾斜した平面または曲面に密着し上下または左右に開閉する構造とする。
【手続補正４】
【補正対象書類名】明細書
【補正対象項目名】００１１
【補正方法】変更
【補正の内容】
【００１１】
また予備室は、上下または左右に開閉する２枚の平行に配置された扉と、当該扉とともに密閉された密閉空間を形成する上下左右の壁と、当該密閉空間と外気を結び外気に向かって空気を流すチャッキバルブを備えた排気管と、当該密閉空間と減圧室を結び当該密閉空間に向かって空気を流すチャッキバルブを備えた吸気管によって構成する。
【手続補正５】
【補正対象書類名】明細書
【補正対象項目名】００１６
【補正方法】変更
【補正の内容】
【００１６】
請求項１記載の発明において、コンテナが最初の開閉扉を押し開けて予備室に進入すると、当該コンテナが予備室に進入した体積分だけ当該予備室内の気圧が高まり、当該予備室内の気圧が外気圧より高まると、外気圧と等しくなるまで当該予備室内の空気は排気管を通って外気内に排出される。
【手続補正６】
【補正対象書類名】明細書
【補正対象項目名】００１８
【補正方法】変更
【補正の内容】
【００１８】
請求項１記載の発明によれば、コンテナが予備室を通過する毎に減圧室内の空気が予備室を通って外気内に排出される。
【手続補正７】
【補正対象書類名】明細書
【補正対象項目名】００２２
【補正方法】変更
【補正の内容】
【００２２】
図１に、請求項１記載の発明の概略を説明する図を示す。
【手続補正８】
【補正対象書類名】明細書
【補正対象項目名】００３３
【補正方法】変更
【補正の内容】
【００３３】
図２および図３に、請求項１記載の発明の最良の実施形態の作用を示す。
【手続補正９】
【補正対象書類名】明細書
【補正対象項目名】００４９
【補正方法】変更
【補正の内容】
【００４９】
請求項１記載の発明は、請求項２記載の構成とすれば、室内の空気を外部に流出したくない昇圧室での製品または資材の搬送にも適用が可能である。
【手続補正１０】
【補正対象書類名】明細書
【補正対象項目名】００５１
【補正方法】変更
【補正の内容】
【００５１】
【図１】請求項１記載の発明の概略を説明する図である。
【図２】請求項１記載の発明の最良の実施形態の作用を説明する図である。
【図３】請求項１記載の発明の最良の実施形態の作用を説明する図である。
【手続補正書】
【提出日】平成21年2月17日(2009.2.17)
【手続補正１】
【補正対象書類名】明細書
【補正対象項目名】０００８
【補正方法】変更
【補正の内容】
【０００８】
こうした問題を解決するため、特許文献２には、成形体を水混和性有機溶媒中に浸漬し、残存する酸を抽出して除去する方法が記載されている。しかし、このような後処理はバッチ方式であり、水混和性有機溶媒中の酸濃度が平衡に達した時点で新しい水混和性有機溶媒に取り替える作業が必要となり、酸を抽出するのに多くの時間と有機溶媒を要するため、作業効率および生産性に劣るという問題がある。さらに、先の手法と同様に酸除去処理後にキトサン系成形体を乾燥調湿する工程も必要であり、工程が煩雑になる。この酸除去処理に用いる水混和性有機溶媒には様々な溶媒例が挙げられているが、その中で沸点100℃以下のメチルアルコール、エチルアルコール、プロピルアルコール、アセトン等が主に用いられる。しかし、この処理から得られたキトサン系成形体中にこれらの有機溶媒が微量ながら残存するために臭気等が問題になり、使用する分野が限定される。また、キトサン系成形体に柔軟性を付与する等、機械的物性を改善するために、必要に応じてキトサンの有機酸水溶液に可塑剤を添加、乾燥固化し成形体を得る。しかしながら、この方法ではキトサン中に残存する酸を除去する際に、添加した可塑剤も同時に除去され、成形体中に保持されない。そのため、可塑剤を含有した柔軟性に富むキトサン系成形体を得ることができない。
【手続補正２】
【補正対象書類名】明細書
【補正対象項目名】００１１
【補正方法】変更
【補正の内容】
【００１１】
本発明は、有機溶媒を使うこともないため作業環境への負荷も低く、また酸除去後の乾燥といった煩雑な工程も無く、水蒸気処理という簡便な酸除去処理により短時間で耐水性を有するキトサン系成形体の製造方法を提供することにある。
【手続補正３】
【補正対象書類名】明細書
【補正対象項目名】００１６
【補正方法】変更
【補正の内容】
【００１６】
揮発性有機酸の除去処理のために使用する水蒸気に特に制限はなく、その目的により任意のものが使用できる。具体的にはボイラーからのスチームをスプレーノズル、スプレーガンなどの処理装置から供給されたものを用いることができる。水蒸気の処理方法はここに挙げるものに限定されるものではないが、揮散した有機酸を含む水蒸気は、拡散や吸引手段により速やかに系外に排出される必要がある。オートクレーブのような密閉系での水蒸気処理では、一旦揮散した有機酸を含む水蒸気がキトサン系成形体の表面に付着し、成形体が溶解してしまう。また水蒸気の処理ではなく単に水中をくぐらせるだけでは膨潤が著しく、得られるキトサン系成形体には実用性が見られない。
【手続補正４】
【補正対象書類名】明細書
【補正対象項目名】００２３
【補正方法】変更
【補正の内容】
【００２３】
［試料の評価］
水蒸気処理後の試料はその外観、耐水性、有機酸残存率、残存溶媒によって評価した。外観及び耐水性の評価方法、有機酸残存率の算出方法、残存溶媒の確認方法を以下に示す。
（外観の評価方法）試料の外観を目視で観察しA〜Cの3段階で判定し、それを外観の評価とした。A：着色や変形がなく良好。B：着色や変形が若干認められる。C：著しい着色や変形が認められる。
（耐水性の評価方法）試料を200mLの蒸留水に2時間浸漬した後、取り出し、目視により試料の様子を観察した。その試料状態をA〜Dの4段階で判定しそれを耐水性の評価とした。A：フィルムの形状を保持し、強度も充分ある。B：膨潤が認められるがフィルムの強度は保つ。C：著しい膨潤が見られ、フィルム強度が弱い、変形が認められる。D：溶解した。
（有機酸残存率の算出方法）試料を完全溶解する量の塩酸で試料を溶解した後、過剰量の水酸化ナトリウムを投入、その後さらに塩酸にて中和滴定(逆滴定)することにより試料中の有機酸のモル数を求める。そして、この有機酸モル数を試料に含まれるキトサンのアミノ基のモル数で除した値を有機酸残存率とする。
（残存溶媒の確認方法）充分な量の試料を200mLの蒸留水に2時間浸漬した後、この蒸留水を高速液体クロマトグラフィーにより分析した。この時、トリエチレングリコール、または沸点100℃以下の有機溶媒に由来するピークが検出された場合、試料中に残存溶媒が存在したと判断する。
【手続補正書】
【提出日】平成21年2月24日(2009.2.24)
【手続補正１】
【補正対象書類名】明細書
【補正対象項目名】００４４
【補正方法】変更
【補正の内容】
【００４４】
なお、重合終結時の重合液の形態は沈殿析出重合でない。
原料の供給及び酸素含有ガスの通気をやめ、重合混合物にエチレンジアミン四酢酸４ナトリウム塩（同仁化学研究所製試薬）の１０％水溶液を７．７ｇ添加し３０分間重合混合物を撹拌し、次いでハイドロキノン（和光純薬社製試薬）を少量ずつ添加し、スラリー状のポリフェニレンエーテルが白色となるまで撹拌を続けた。
反応器の内温は４０℃になるようコントロールした。
ポリマーはメタノールを添加して沈殿させ濾過したその後、濾残の湿潤ポリフェニレンエーテルにメタノールをふりかけ洗浄し湿潤ポリフェニレンエーテルを得た。次いで１４０℃で１５０分真空乾燥し乾燥ポリフェニレンエーテルを得た。
乾燥ポリフェニレンエーテルを用いて分子量の測定を行なった。結果を表１に示した。
分子量分布は１個のピークを有するのみであり、ピークの分子量値をＭ３に示した。
【手続補正書】
【提出日】平成21年2月23日(2009.2.23)
【手続補正１】
【補正対象書類名】明細書
【補正対象項目名】０００２
【補正方法】変更
【補正の内容】
【０００２】
従来、水性のインクジェットインクを用いたインクジェット印刷方法は、上質紙等の紙類や、あるいは、典型的に高いインク吸収性を有するように設計された専用紙等の、吸水性を有する媒体に印刷するのが一般的であり、例えば、基材の表面を、疎水性で、かつ平滑で、しかも非多孔質であるため、吸水性を有しないコーティングによって被覆した、主にオフセット印刷用として用いられるオフセットコート媒体への印刷には適していなかった。
【手続補正２】
【補正対象書類名】明細書
【補正対象項目名】００４３
【補正方法】変更
【補正の内容】
【００４３】
前記共重合体の具体例としては、例えば、セイミケミカル(株)製のサーフロン（登録商標）Ｓ−３８１が挙げられる。サーフロンＳ−３８１は、前記共重合体を、有効成分として、７０重量％の割合で、酢酸エチルに溶解した、淡黄色粘稠液体〔比重（２０℃）：１．１１〕の状態で提供される。サーフロンＳ−３８１の有効成分である共重合体の、重量平均分子量Ｍｗは５００〜２０，０００、フッ素の含有割合は５〜３０重量％である。また、前記共重合体を、純水に溶解した、０．２重量％濃度の水溶液の表面張力（測定温度２５℃）は、１５．２ｍＮ／ｍである。なお、表面張力は、ＫＲＵＳＳ（クラス）社製の自動表面張力計Ｋ１０ＳＴを用いて、プレート法の原理に基づいて測定した値でもって表すこととする。
【手続補正３】
【補正対象書類名】明細書
【補正対象項目名】００４９
【補正方法】変更
【補正の内容】
【００４９】
〈顔料〉
顔料としては、インクジェットインクに通常に使用される任意の無機顔料および／または有機顔料を用いることができる。このうち、無機顔料としては、例えば、酸化チタン、酸化鉄などの金属化合物や、あるいはコンタクト法、ファーネス法、サーマル法などの公知の方法によって製造されたカーボンブラック等の１種または２種以上が挙げられる。
【手続補正４】
【補正対象書類名】明細書
【補正対象項目名】００５０
【補正方法】変更
【補正の内容】
【００５０】
また有機顔料としては、例えば、アゾ顔料（アゾレーキ、不溶性アゾ顔料、縮合アゾ顔料、またはキレートアゾ顔料などを含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、またはキノフタロン顔料など）、染料キレート（例えば、塩基性染料型キレート、酸性染料型キレートなど）、ニトロ顔料、ニトロソ顔料、アニリンブラックなどの１種または２種以上が挙げられる。
【手続補正５】
【補正対象書類名】明細書
【補正対象項目名】００５３
【補正方法】変更
【補正の内容】
【００５３】
本発明のインクジェットインクには、先に説明した各成分に加えて、次に述べる有機酸塩のエチレンオキシド付加物その他の成分を含有させることもできる。
〈有機酸塩のエチレンオキシド付加物〉
インクジェットインクに、有機酸塩のエチレンオキシド付加物を含有させると、特に、サーマルジェット（登録商標）方式のインクジェットプリンタにおいて、インクジェットインクの吐出安定性を向上することができる。
【手続補正６】
【補正対象書類名】明細書
【補正対象項目名】００６７
【補正方法】変更
【補正の内容】
【００６７】
特にアセチレングリコール類として、式(17)：
【化２２】
2007238813.tif 000001
〔式中、ｕおよびｖは、それぞれ別個に、０〜４０の数を示す。ただし、ｕ、ｖは同時に０でなく、ｕ＋ｖは１〜４０の数を示す。〕
で表される化合物を用いると、先に説明した補完効果に加えて、インクジェットインクの、特に、グロス調のＵＶ媒体に対する濡れ性を改善する効果を得ることもできる。
【手続補正７】
【補正対象書類名】明細書
【補正対象項目名】００７７
【補正方法】変更
【補正の内容】
【００７７】
〈バインダ樹脂II〉
インクジェットプリンタは、通常、不使用時に、ヘッドをホームポジションに戻した際に、キャップをしてノズルを閉じる機構を備えているが、前記一連の操作を、手動で行う設定になっているものがあり、そのようなインクジェットプリンタにおいて、ヘッドをホームポジションに戻し忘れて、ノズルがキャップされない状態でしばらくの間、放置されると、ノズル内のインクジェットインクが粘度上昇して、印刷を再開した初期の段階で、かすれ等の印刷不良を生じやすい。
【手続補正８】
【補正対象書類名】明細書
【補正対象項目名】００８９
【補正方法】変更
【補正の内容】
【００８９】
《実施例１》
〈インクジェットインクの製造〉
顔料としては、シアン顔料分散液〔キャボット（ＣＡＢＯＴ）社製のＣＡＢＯＪＥＴ２５０Ｃ、Ｃ．Ｉ．ピグメントブルー１５：３のスルホン基改質物、水分散液、固形分１０重量％〕を用い、非プロトン性極性溶媒としては、１，３−ジメチル−２−イミダゾリジノン〔分子量：１１４．２、沸点：２２５．５℃〕を用いた。フッ素系界面活性剤としては、前出の、セイミケミカル(株)製のサーフロンＳ−３８１（有効成分量７０重量％）を用い、有機酸塩のエチレンオキシド付加物としては、式(12)中のｒが６で、かつＭ１〜Ｍ３がいずれもナトリウムである、クエン酸ナトリウムのエチレンオキシド付加物を用いた。
【手続補正９】
【補正対象書類名】明細書
【補正対象項目名】０１０４
【補正方法】変更
【補正の内容】
【０１０４】
《印刷鮮明性試験》
実施例、比較例のインクジェットインクを、サーマルジェット方式のインクジェットプリンタ〔ビデオジェット(株)製のＰｒｉｎｔ Ｍａｉｌ ＷｉｄｅＡｒｒａｙ（プリントメールワイドアレイ）〕に使用して、ＢＹＫ−Ｇａｒｄｎｅｒ（ビックガードナー）社製の光沢度測定器ｍｉｃｒｏ−ＴＲＩ−ｇｌｏｓｓ（マイクロトリグロス）を用いて測定した６０°光沢度が８８．４、表面張力（測定温度２５℃）が２９．２１ｍＮ／ｍであるＵＶコート紙の表面に、１０ポイントのアルファベットを印刷し、次いで、出力３２００Ｗのヒータで約５秒間、加熱した後、印刷を観察して、下記の基準で、インクジェットインクの印刷鮮明性を評価した。
【手続補正書】
【提出日】平成21年3月3日(2009.3.3)
【手続補正１】
【補正対象書類名】特許請求の範囲
【補正対象項目名】請求項１
【補正方法】変更
【補正の内容】
【請求項１】
一般式（Ａ）で表される錯体及び触媒活性化剤を含むことを特徴とする、一般式（Ｘ）で表されるイソプレン系化合物の重合用の重合触媒組成物。
【化１】
2007238857.tif 000001
（一般式（Ａ）において、
Ｒ1及びＲ2はそれぞれ独立して、アルキル基、シクロヘキシル基、アリール基又はアラルキル基を示し、
Ｒ3はアルキル基、アルケニル基、アルキニル基、アリール基又はアラルキル基、脂肪族、芳香族又は環状のアミノ基、若しくはホスフィノ基、ボリル基、アルキル又はアリールチオ基、アルコキシ又はアリールオキシ基を示し、
Ｍは、スカンジウムＳｃ、イットリウムＹ又はプロメチウムＰｍを除くランタンＬａからルテチウムＬｕまでの希土類元素の何れかを示し、
Ｑ1およびＱ2はそれぞれ独立して、モノアニオン性配位子を示し、
Ｌは中性ルイス塩基を示し、ｗは０〜３の整数を示す。）
【化２】
2007238857.tif 000002
（一般式（Ｘ）においてＲ4は炭素数１〜１０のアルキル基又はアルケニル基を示す。）
【手続補正２】
【補正対象書類名】明細書
【補正対象項目名】００１３
【補正方法】変更
【補正の内容】
【００１３】
【化４】
2007238857.tif 000003
【手続補正３】
【補正対象書類名】明細書
【補正対象項目名】００４５
【補正方法】変更
【補正の内容】
【００４５】
【化８】
2007238857.tif 000004
【手続補正書】
【提出日】平成21年1月28日(2009.1.28)
【手続補正１】
【補正対象書類名】明細書
【補正対象項目名】００４９
【補正方法】変更
【補正の内容】
【００４９】
上記転移ローラ２０は、例えばポリスチレン製材料にて形成されており、その外周側表面には、例えばシリコンゴム等の弾性被覆層２１が被覆されている。なお、転移ローラ２０の外周側表面は弾性を有するものであれば、必ずしも弾性被覆層２１を被覆する必要はない。この転移ローラ２０は、ケース１０のベース部から起立する支持軸（図示せず）に回転自在に枢着される回転軸２２に転移ローラ回転用ギア２３と共に装着されている。
【手続補正２】
【補正対象書類名】図面
【補正対象項目名】図１
【補正方法】変更
【補正の内容】
【図１】
2007238243.tif 000001
【手続補正３】
【補正対象書類名】図面
【補正対象項目名】図１０
【補正方法】変更
【補正の内容】
【図１０】
2007238243.tif 000002
【手続補正書】
【提出日】平成21年7月1日(2009.7.1)
【手続補正１】
【補正対象書類名】特許請求の範囲
【補正対象項目名】全文
【補正方法】変更
【補正の内容】
【特許請求の範囲】
【請求項１】
治療的に有効な量の化合物またはその薬学的に許容しうる塩を含み、該化合物はアルファ−２−デルタリガンドである、非回復性睡眠を治療するための医薬組成物。
【請求項２】
化合物はγ−アミノ酸またはその薬学的に許容しうる塩である請求項１記載の医薬組成物。
【請求項３】
化合物はガバペンチンまたはその薬学的に許容しうる塩である請求項１記載の医薬組成物。
【請求項４】
化合物はプレガバリンまたはその薬学的に許容しうる塩である請求項１記載の医薬組成物。
【請求項５】
化合物は式１または１Ａ
【化１】
2007238613.tif 000001
［式中、Ｒは水素、または１〜４個の炭素原子の直鎖状もしくは分枝状アルキルであり、
R1〜R14はそれぞれ独立して水素、１〜６個の炭素原子の直鎖状もしくは分枝状アルキル、フェニル、ベンジル、フッ素、塩素、臭素、ヒドロキシ、ヒドロキシメチル、アミノ、アミノメチル、トリフルオロメチル、−CO2H、−CO2R15、−CH2CO2H、−CH2CO2R15、または−OR15から選択され、ここでR15は１〜６個の炭素原子の直鎖状または分枝状アルキル、フェニルまたはベンジルであり、そして
R1〜R8は同時に水素ではない］
により表される化合物またはその薬学的に許容しうる塩である請求項１記載の医薬組成物。
【請求項６】
化合物は(3S,4S)−(1−アミノメチル−3,4−ジメチル−シクロペンチル)−酢酸またはその薬学的に許容しうる塩である請求項１記載の医薬組成物。
【請求項７】
化合物はβ−アミノ酸またはその薬学的に許容しうる塩である請求項１記載の医薬組成物。
【請求項８】
非回復性睡眠を治療するための医薬の製造における請求項１〜７の何れかの項記載の化合物またはその薬学的に許容しうる塩の使用。
【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
加水分解性有機基と、非加水分解性有機基が同一のケイ素に直接結合したオルガノシラン化合物を、重合させると共に乾燥してなるシリカ乾燥ゲルであって、
式（１）で表される化合物または式（１）で表される化合物の部分加水分解重合物を、重合させると共に乾燥してなるゲルをも含有するシリカ乾燥ゲル。
式（１）    Ｓｉ（ＯＲ１）４
【請求項２】
加水分解性有機基と、非加水分解性有機基が同一のケイ素に直接結合したオルガノシラン化合物を、重合させると共に乾燥してなるシリカ乾燥ゲルであって、
式（１）で表される化合物または式（１）で表される化合物の部分加水分解重合物を、重合させてなる湿潤ゲルの存在下、上記加水分解性有機基と、非加水分解性有機基とが同一のケイ素に直接結合したオルガノシラン化合物を重合させると共に乾燥してなるシリカ乾燥ゲル。
【請求項３】
加水分解性有機基と、非加水分解性有機基が同一のケイ素に直接結合したオルガノシラン化合物は、式（１）で表される化合物とその加水分解縮重合物の合計に対し、０．１重量％〜１０重量％とした請求項１または２記載のシリカ乾燥ゲル。
【請求項４】
オルガノシラン化合物は、式（２）または式（３）で表される少なくとも一つを含む化合物を重合させ、分子量２００以上とした請求項１から３のいずれか１項記載のシリカ乾燥ゲル。
式（２）  Ｒ２Ｓｉ（ＯＲ１）３
式（３）  （Ｒ２）２Ｓｉ（ＯＲ１）２
【請求項５】
オルガノシラン化合物は、式（４）で表される直鎖状ポリシロキサンジオールである請求項１から４のいずれか１項記載のシリカ乾燥ゲル。
式（４）  ＨＯ（（Ｒ２）２ＳｉＯ）ｎＨ
【請求項６】
オルガノシラン化合物は、式（５）と、式（６）との少なくとも一方と、式（７）で表される化合物との共重合体を含んだ請求項１から４のいずれか１項記載のシリカ乾燥ゲル。
式（５）  ＣＨ２＝ＣＲ３（ＣＯＯＲ４）
式（６）  ＣＨ２＝ＣＲ３（ＣＯＯＲ５）
式（７）  ＣＨ２＝ＣＲ３（ＣＯＯＲ６）
ただし、Ｒ３は水素原子及び／またはメチル基、Ｒ４は置換もしくは非置換の炭素数１〜９の１価炭化水素基、Ｒ５はエポキシ基、グリシジル基及びこれらのうち少なくとも一方を含む炭化水素基からなる群の中から選ばれる少なくとも１種の基、Ｒ６はアルコキシシリル基及び／またはハロゲン化シリル基を含む炭化水素基である。
【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
部品を収納する容器と、前記容器底面に交換可能に設け前記部品を整列させるために前記部品固有の外形に係合する断面輪郭形状を備えた案内溝を有する直進レールと、前記容器底面に設け該容器に投入された部品の姿勢を整えながら前記直進レールに向かわせるための凹凸面を前記直進レールの側部に備えた整流板と、前記部品の搬送方向に対して左右の方向に前記容器を揺動させる揺動手段とを有することを特徴とする部品整列供給装置。
【請求項２】
前記凹凸面は、前記直進レールの側部に沿って該直進レールの上面よりも高い位置に配列された複数個の突起を含むことを特徴とする請求項１に記載の部品整列供給装置。
【請求項３】
前記凹凸面は、前記直進レールの一方の側面に沿って該直進レールの上面よりも高い位置に設けられた壁と、前記直進レールの他方の側面に沿って該直進レールの上面よりも高い位置に配列された複数個の突起より成ることを特徴とする請求項１に記載の部品整列供給装置。
【請求項４】
前記部品の搬送方向は下り坂になるように傾斜していることを特徴とする請求項１から３のいずれかに記載の部品整列供給装置。
【請求項５】
前記容器および前記揺動手段は振動手段に搭載されて前記部品の搬送方向に振動を与えられることを特徴とする請求項１から３のいずれかに記載の部品整列供給装置。
【請求項６】
前記容器には側壁部に前記部品を排出する開口部を有し、前記本体には前記開口部において前記直進レールの端部に接する、前記直進レールと同断面形状の直線レールを配設したことを特徴とする請求項１から５のいずれかに記載の部品整列供給装置。
【請求項７】
前記開口部を開閉するシャッタを設け、前記揺動手段が動作中は前記シャッタで前記開口部を閉鎖することを特徴とする請求項６記載の部品整列供給装置。
【手続補正２】
【補正対象書類名】明細書
【補正対象項目名】０００６
【補正方法】変更
【補正の内容】
【０００６】
前述した目的を達成するための本発明の部品整列供給装置は、以下の（１）の特徴を備える。またそれに加えて、下記（２）から（７）の特徴の少なくとも１つを併せ備えることがある。
（１）部品を収納する容器と、前記容器底面に交換可能に設け前記部品を整列させるために前記部品固有の外形に係合する断面輪郭形状を備えた案内溝を有する直進レールと、前記容器底面に設け該容器に投入された部品の姿勢を整えながら前記直進レールに向かわせるための凹凸面を前記直進レールの側部に備えた整流板と、前記部品の搬送方向に対して左右の方向に前記容器を揺動させる揺動手段とを有すること。
（２）前記凹凸面は、前記直進レールの側部に沿って該直進レールの上面よりも高い位置に配列された複数個の突起を含むこと。
（３）前記凹凸面は、前記直進レールの一方の側面に沿って該直進レールの上面よりも高い位置に設けられた壁と、前記直進レールの他方の側面に沿って該直進レールの上面よりも高い位置に配列された複数個の突起より成ること。
（４）前記部品の搬送方向は下り坂になるように傾斜していること。
（５）前記容器および前記揺動手段は振動手段に搭載されて前記部品の搬送方向に振動を与えられること。
（６）前記容器には側壁部に前記部品を排出する開口部を有し、前記本体には前記開口部において前記直進レールの端部に接する、前記直進レールと同断面形状の直線レールを配設したこと。
（７）前記開口部を開閉するシャッタを設け、前記揺動手段が動作中は前記シャッタで前記開口部を閉鎖すること。
【手続補正３】
【補正対象書類名】明細書
【補正対象項目名】０００７
【補正方法】変更
【補正の内容】
【０００７】
本発明によれば、部品を収納する容器と、容器底面に交換可能に設け案内溝を有する直進レールと、容器底面に設け部品を直進レールに向かわせる凹凸面を備えた整流板と、容器を部品搬送方向の左右の方向に揺動させる揺動手段とより成る比較的簡単な構造であって、安価でかつ直進レールの交換により品種の切り替え性がよい多品種少量生産に適する部品整列供給装置を提供することができる。
【手続補正書】
【提出日】平成21年8月27日(2009.8.27)
【手続補正１】
【補正対象書類名】特許請求の範囲
【補正対象項目名】請求項８
【補正方法】変更
【補正の内容】
【請求項８】
真空ポンプ（６）によって、分離装置（３、３０）内に周囲圧力に比べて低い静圧が発生されることを特徴とする請求項７に記載の方法。
【手続補正書】
【提出日】平成21年8月21日(2009.8.21)
【手続補正１】
【補正対象書類名】特許請求の範囲
【補正対象項目名】全文
【補正方法】変更
【補正の内容】
【特許請求の範囲】
【請求項１】
景品を載置する景品載置エリアと景品を落下させる開口エリアとを含むゲームフィールドと、
前記ゲームフィールドの上方を移動して、前記景品載置エリアに載置された景品を移動させる景品移動部と、
プレーヤが景品を取り出すための景品取出口と、
前記ゲームフィールドの下方に開口形成され、前記開口エリアに移動された景品を前記景品取出口に導くための景品誘導空間と、
を含み、
前記景品載置エリアは、
景品を載置可能な景品載置部材により構成され、
前記景品載置部材は、
前記景品誘導空間の上方において配置される高さを変更可能に配置されることを特徴とする景品獲得ゲーム装置。
【請求項２】
請求項１において、
前記景品載置部材を前記景品誘導空間の上方の第1の高さに配置するための第１部材と、
前記景品載置部材を前記景品誘導空間の上方の第２の高さに配置するための第２部材と、
を更に含むことを特徴とする景品獲得ゲーム装置。
【請求項３】
請求項２において、
前記第１部材は、
前記景品載置部材を前記景品誘導空間の上方の前記第１の高さにおいて位置を変更可能に支持することを特徴とする景品獲得ゲーム装置。
【請求項４】
請求項３において、
前記第１部材は、
前記景品載置部材を着脱自在に支持することを特徴とする景品獲得ゲーム装置。
【請求項５】
請求項３または４において、
前記第２部材は、
前記景品載置部材を前記景品誘導空間の上方の前記第２の高さにおいて位置を変更可能に支持することを特徴とする景品獲得ゲーム装置。
【請求項６】
請求項５において、
前記第２部材は、
前記景品載置部材を着脱自在に支持することを特徴とする景品獲得ゲーム装置。
【請求項７】
請求項３〜６のいずれかにおいて、
前記景品移動部を移動させ、前記景品移動部に景品を保持するための景品保持動作と保持した景品を開放するための開放動作とを行なわせる動作制御手段を更に含み、
前記動作制御手段は、
前記開口エリアのレイアウト情報に基づき、前記開口エリアの上方で前記景品移動部に前記開放動作を行なわせることを特徴とする景品獲得ゲーム装置。
【請求項８】
請求項７において、
前記開口エリアのレイアウト情報を検出する開口エリア検出手段を更に含み、
前記動作制御手段は、
前記開口エリア検出手段の検出結果に基づき、前記開口エリアの上方で前記景品移動部に前記開放動作を行なわせることを特徴とする景品獲得ゲーム装置。
【請求項９】
請求項７において、
前記開口エリアのレイアウトに関する設定情報を受付ける設定情報受付手段を更に含み、
前記動作制御手段は、
前記設定情報受付手段が受付けた設定情報に基づき、前記開口エリアの上方で前記景品移動部に前記開放動作を行なわせることを特徴とする景品獲得ゲーム装置。
【請求項１０】
請求項９において、
前記設定情報受付手段は、
前記開口エリアの位置に関する設定情報を受付け、
前記動作制御手段は、
前記設定情報受付手段が受付けた前記開口エリアの位置に関する設定情報に基づき、前記開口エリアの上方で前記景品移動部に前記開放動作を行なわせることを特徴とする景品獲得ゲーム装置。
【請求項１１】
請求項７〜１０のいずれかにおいて、
前記景品移動部が移動を開始する移動開始基準位置を設定する基準位置設定手段を更に含み、
前記動作制御手段は、
前記基準位置設定手段により設定された移動開始基準位置から前記景品移動部を移動させることを特徴とする景品獲得ゲーム装置。
【請求項１２】
請求項７〜１１のいずれかにおいて、
前記動作制御手段は、
前記開口エリアが複数ある場合、所与のルールに基づいて１つの前記開口エリアを特定し、特定した前記開口エリアに向けて前記景品移動部を移動させ、特定した前記開口エリアの上方で前記景品移動部に前記開放動作を行なわせることを特徴とする景品獲得ゲーム装置。
【請求項１３】
請求項１２において、
前記動作制御手段は、
前記景品移動部が景品保持動作を行った位置から最も近い開口エリアを特定することを特徴とする景品獲得ゲーム装置。
【請求項１４】
請求項１２において、
前記動作制御手段は、
前記景品移動部が移動を開始した移動開始基準位置に最も近い開口エリアを特定することを特徴とする景品獲得ゲーム装置。
【請求項１５】
請求項１２において、
前記動作制御手段は、
前記景品移動部が景品保持動作を行った位置から開口エリアを通り前記景品移動部が移動を開始した移動開始基準位置へ移動する距離が最短となる経路上にある開口エリアを特定することを特徴とする景品獲得ゲーム装置。
【請求項１６】
請求項１〜１５のいずれかにおいて、
前記景品移動部は、
前記ゲームフィールドの上方を所定の移動範囲内で移動し、
前記景品誘導空間は、
前記景品移動部の移動範囲を包含する範囲で開口形成されていることを特徴とする景品獲得ゲーム装置。
【請求項１７】
請求項１〜１６のいずれかにおいて、
前記景品誘導空間は、
前記ゲームフィールドのほぼ全領域に対応して開口形成されていることを特徴とする景品獲得ゲーム装置。
【手続補正書】
【提出日】平成21年8月21日(2009.8.21)
【手続補正１】
【補正対象書類名】特許請求の範囲
【補正対象項目名】全文
【補正方法】変更
【補正の内容】
【特許請求の範囲】
【請求項１】
景品を載置する景品載置エリアと景品を落下させる開口エリアとを含むゲームフィールドと、
前記ゲームフィールドの上方を移動して、前記景品載置エリアに載置された景品を移動させる景品移動部と、
プレーヤが景品を取り出すための景品取出口と、
前記ゲームフィールドの下方に開口形成され、前記開口エリアに移動された景品を前記景品取出口に導くための景品誘導空間と、
第１の支持部材と、
第２の支持部材と、
を含み、
前記第１の支持部材は、
前記第２の支持部材を前記景品誘導空間の上方において位置を変更可能に支持し、
前記第２の支持部材は、
前記景品載置エリアを構成する景品載置部材を支持することを特徴とする景品獲得ゲーム装置。
【請求項２】
請求項１において、
前記第１の支持部材と前記第２の支持部材とを締結可能な第１の締結部材を更に含むことを特徴とする景品獲得ゲーム装置。
【請求項３】
請求項１または２において、
前記第１の支持部材は、
複数の前記第２の支持部材を前記景品誘導空間の上方において位置を変更可能に支持することを特徴とする景品獲得ゲーム装置。
【請求項４】
請求項３において、
複数の前記第２の支持部材のそれぞれを互いに締結可能な第２の締結部材を更に含むことを特徴とする景品獲得ゲーム装置。
【請求項５】
請求項１〜４のいずれかにおいて、
前記第１の支持部材は、
複数の前記第２の支持部材を前記景品誘導空間の上方において位置を変更可能に支持し、
複数の前記第２の支持部材の少なくとも１つには、前記第２の支持部材が前記景品誘導空間の上方に配置されたときに隣接する他の第２の支持部材を支持する支持部が形成されていることを特徴とする景品獲得ゲーム装置。
【請求項６】
請求項１〜５のいずれかにおいて、
前記第１の支持部材が前記第２の支持部材を支持する高さよりも高い位置に前記第２の支持部を支持する第３の支持部材を更に含むことを特徴とする景品獲得ゲーム装置。
【請求項７】
請求項６において、
前記第３の支持部材は、
前記第２の支持部材を前記景品誘導空間の上方において位置を変更可能に支持することを特徴とする景品獲得ゲーム装置。
【請求項８】
請求項１〜７のいずれかにおいて、
前記ゲームフィールドの高さ位置を変更する手段を更に含むことを特徴とする景品獲得ゲーム装置。
【請求項９】
請求項１〜８のいずれかにおいて、
前記景品移動部を移動させ、前記景品移動部に景品を保持するための景品保持動作と保持した景品を開放するための開放動作とを行なわせる動作制御手段を更に含み、
前記動作制御手段は、
前記開口エリアのレイアウト情報に基づき、前記開口エリアの上方で前記景品移動部に前記開放動作を行なわせることを特徴とする景品獲得ゲーム装置。
【請求項１０】
請求項９において、
前記開口エリアのレイアウト情報を検出する開口エリア検出手段を更に含み、
前記動作制御手段は、
前記開口エリア検出手段の検出結果に基づき、前記開口エリアの上方で前記景品移動部に前記開放動作を行なわせることを特徴とする景品獲得ゲーム装置。
【請求項１１】
請求項９において、
前記開口エリアのレイアウトに関する設定情報を受付ける設定情報受付手段を更に含み、
前記動作制御手段は、
前記設定情報受付手段が受付けた設定情報に基づき、前記開口エリアの上方で前記景品移動部に前記開放動作を行なわせることを特徴とする景品獲得ゲーム装置。
【請求項１２】
請求項１１において、
前記設定情報受付手段は、
前記開口エリアの位置に関する設定情報を受付け、
前記動作制御手段は、
前記設定情報受付手段が受付けた前記開口エリアの位置に関する設定情報に基づき、前記開口エリアの上方で前記景品移動部に前記開放動作を行なわせることを特徴とする景品獲得ゲーム装置。
【請求項１３】
請求項９〜１２のいずれかにおいて、
前記景品移動部が移動を開始する移動開始基準位置を設定する基準位置設定手段を更に含み、
前記動作制御手段は、
前記基準位置設定手段により設定された移動開始基準位置から前記景品移動部を移動させることを特徴とする景品獲得ゲーム装置。
【請求項１４】
請求項９〜１３のいずれかにおいて、
前記動作制御手段は、
前記開口エリアが複数ある場合、所与のルールに基づいて１つの前記開口エリアを特定し、特定した前記開口エリアに向けて前記景品移動部を移動させ、特定した前記開口エリアの上方で前記景品移動部に前記開放動作を行なわせることを特徴とする景品獲得ゲーム装置。
【請求項１５】
請求項１４において、
前記動作制御手段は、
前記景品移動部が景品保持動作を行った位置から最も近い開口エリアを特定することを特徴とする景品獲得ゲーム装置。
【請求項１６】
請求項１４において、
前記動作制御手段は、
前記景品移動部が移動を開始した移動開始基準位置に最も近い開口エリアを特定することを特徴とする景品獲得ゲーム装置。
【請求項１７】
請求項１４において、
前記動作制御手段は、
前記景品移動部が景品保持動作を行った位置から開口エリアを通り前記景品移動部が移動を開始した移動開始基準位置へ移動する距離が最短となる経路上にある開口エリアを特定することを特徴とする景品獲得ゲーム装置。
【請求項１８】
請求項１〜１７のいずれかにおいて、
前記景品移動部は、
前記ゲームフィールドの上方を所定の移動範囲内で移動し、
前記景品誘導空間は、
前記景品移動部の移動範囲を包含する範囲で開口形成されていることを特徴とする景品獲得ゲーム装置。
【請求項１９】
請求項１〜１８のいずれかにおいて、
前記景品誘導空間は、
前記ゲームフィールドのほぼ全領域に対応して開口形成されていることを特徴とする景品獲得ゲーム装置。
【手続補正書】
【提出日】平成21年8月14日(2009.8.14)
【手続補正１】
【補正対象書類名】特許請求の範囲
【補正対象項目名】全文
【補正方法】変更
【補正の内容】
【特許請求の範囲】
【請求項１】
患者の少なくとも鼻を覆うマスクシェルと、前記マスクシェルに取り付けられて患者の顔に対して気密に結合されたクッションとを有する、患者の気道インタフェース用のブレイスであって、
前記マスクシェルに対して固定された所定の位置で前記マスクシェルに係合するとともに、前記マスクシェルの周囲の少なくとも一部に位置決めされる、細長い可とう性の部材を備え、
使用時において前記クッションとは接触せず、前記クッションと前記患者の前記顔との接触状態を調整すべく変形することを特徴とするブレイス。
【請求項２】
前記マスクシェルは前記患者の鼻および口を覆うとともに、前記ブレイスは前記患者の顎の上または下まで伸びている請求項１に記載のブレイス。
【請求項３】
前記マスクシェルの全周を渡って延伸している請求項１または２に記載のブレイス。
【請求項４】
連続的な形状を有する請求項１から３のいずれかに記載のブレイス。
【請求項５】
前記細長い可とう性の部材は、ワイヤからなる請求項１から４のいずれかに記載のブレイス。
【請求項６】
前記ワイヤは軟鋼で形成されている請求項５に記載のブレイス。
【請求項７】
使用状態において前記マスクシェルにかたく係合される請求項１から６のいずれかに記載のブレイス。
【請求項８】
患者の気道インタフェースであって、
患者の少なくとも鼻を覆うマスクシェルと、
前記マスクシェルに取り付けられて患者の顔に対して気密に結合されたクッションと、
前記マスクシェルに対して固定された所定の位置で前記マスクシェルに係合するとともに、前記マスクシェルの周囲の少なくとも一部に位置決めされる、細長い可とう性の部材からなるブレイスと
を備え、
使用時において前記クッションとは接触せず、前記クッションと前記患者の前記顔との接触状態を調整すべく変形することを特徴とするインタフェース。
【請求項９】
前記マスクシェルは前記患者の鼻および口を覆うとともに、前記ブレイスは前記患者の顎の上または下まで伸びている請求項８に記載のインタフェース。
【請求項１０】
前記ブレイスは、前記マスクシェルの全周を渡って延伸している請求項８または９に記載のインタフェース。
【請求項１１】
前記ブレイスは、連続的な形状を有する請求項８から１０のいずれかに記載のインタフェース。
【請求項１２】
前記細長い可とう性の部材は、ワイヤからなる請求項８から１１のいずれかに記載のインタフェース。
【請求項１３】
前記ワイヤは軟鋼で形成されている請求項１２に記載のインタフェース。
【請求項１４】
前記ブレイスは、使用状態において前記マスクシェルにかたく係合される請求項８から１３のいずれかに記載のインタフェース。
【手続補正書】
【提出日】平成21年8月21日(2009.8.21)
【手続補正１】
【補正対象書類名】特許請求の範囲
【補正対象項目名】全文
【補正方法】変更
【補正の内容】
【特許請求の範囲】
【請求項１】
景品を載置する景品載置エリアと景品を落下させる開口エリアとを含むゲームフィールドと、
前記ゲームフィールドの上方を移動して、前記景品載置エリアに載置された景品を移動させる景品移動部と、
プレーヤが景品を取り出すための景品取出口と、
前記ゲームフィールドの下方に開口形成され、前記開口エリアに移動された景品を前記景品取出口に導くための景品誘導空間と、
を含み、
前記景品載置エリアは、
景品を載置可能な複数の景品載置部材により構成され、
前記複数の景品載置部材は、
１つの前記景品誘導空間の上方に任意に配置されることを特徴とする景品獲得ゲーム装置。
【請求項２】
請求項１において、
前記ゲームフィールドは、
前記複数の景品載置部材のそれぞれの配置位置に応じて、１つの前記景品誘導空間の上方で前記開口エリアのレイアウトが変更可能に形成されていることを特徴とする景品獲得ゲーム装置。
【請求項３】
請求項１、２のいずれかにおいて、
前記複数の景品載置部材は、
１つの前記景品誘導空間の上方に複数の前記開口エリアを形成することを特徴とする景品獲得ゲーム装置。
【請求項４】
請求項１〜３のいずれかにおいて、
前記複数の景品載置部材は、
形状が異なる複数種類の景品載置部材を含むことを特徴とする景品獲得ゲーム装置。
【請求項５】
請求項１〜４のいずれかにおいて、
前記複数の景品載置部材を１つの前記景品誘導空間の上方に任意に配置するための支持部材を更に含むことを特徴とする景品獲得ゲーム装置。
【請求項６】
請求項５において、
前記支持部材は、
前記複数の景品載置部材を着脱自在に支持することを特徴とする景品獲得ゲーム装置。
【請求項７】
請求項５または６において、
前記支持部材は、
ゲーム装置本体に形成された第１の支持部材と、
前記第１の支持部材に支持されて前記景品誘導空間の上方に任意に配置される複数の第２の支持部材と、
を含み、
前記第２の支持部材の少なくとも１つには、前記第２の支持部材が前記景品誘導空間の上方に配置されたときに隣接する他の第２の支持部材を支持する支持部が形成され、
前記景品載置部材は、
前記第２の支持部材により支持されることを特徴とする景品獲得ゲーム装置。
【請求項８】
請求項５または６において、
前記支持部材は、
ゲーム装置本体に形成された第１の支持部材と、
前記第１の支持部材に支持される複数の前記景品載置部材の少なくとも１つに形成され、前記景品載置部材が前記景品誘導空間の上方に配置されたときに隣接する他の景品載置部材を支持する支持部と、
を含むことを特徴とする景品獲得ゲーム装置。
【請求項９】
請求項１〜８のいずれかにおいて、
前記ゲームフィールドは、
前記景品誘導空間の上方の異なる高さ位置に複数層設けられ、
少なくとも１つの層のゲームフィールドの前記景品載置エリアが前記複数の景品載置部材により構成されていることを特徴とする景品獲得ゲーム装置。
【請求項１０】
請求項１〜９のいずれかにおいて、
前記ゲームフィールドの高さ位置を変更する手段を更に含むことを特徴とする景品獲得ゲーム装置。
【請求項１１】
請求項１〜１０のいずれかにおいて、
前記景品移動部を移動させ、前記景品移動部に景品を保持するための景品保持動作と保持した景品を開放するための開放動作とを行なわせる動作制御手段を更に含み、
前記動作制御手段は、
前記開口エリアのレイアウト情報に基づき、前記開口エリアの上方で前記景品移動部に前記開放動作を行なわせることを特徴とする景品獲得ゲーム装置。
【請求項１２】
請求項１１において、
前記開口エリアのレイアウト情報を検出する開口エリア検出手段を更に含み、
前記動作制御手段は、
前記開口エリア検出手段の検出結果に基づき、前記開口エリアの上方で前記景品移動部に前記開放動作を行なわせることを特徴とする景品獲得ゲーム装置。
【請求項１３】
請求項１１において、
前記開口エリアのレイアウトに関する設定情報を受付ける設定情報受付手段を更に含み、
前記動作制御手段は、
前記設定情報受付手段が受付けた設定情報に基づき、前記開口エリアの上方で前記景品移動部に前記開放動作を行なわせることを特徴とする景品獲得ゲーム装置。
【請求項１４】
請求項１３において、
前記設定情報受付手段は、
前記開口エリアの位置に関する設定情報を受付け、
前記動作制御手段は、
前記設定情報受付手段が受付けた前記開口エリアの位置に関する設定情報に基づき、前記開口エリアの上方で前記景品移動部に前記開放動作を行なわせることを特徴とする景品獲得ゲーム装置。
【請求項１５】
請求項１１〜１４のいずれかにおいて、
前記景品移動部が移動を開始する移動開始基準位置を設定する基準位置設定手段を更に含み、
前記動作制御手段は、
前記基準位置設定手段により設定された移動開始基準位置から前記景品移動部を移動させることを特徴とする景品獲得ゲーム装置。
【請求項１６】
請求項１１〜１５のいずれかにおいて、
前記動作制御手段は、
前記開口エリアが複数ある場合、所与のルールに基づいて１つの前記開口エリアを特定し、特定した前記開口エリアに向けて前記景品移動部を移動させ、特定した前記開口エリアの上方で前記景品移動部に前記開放動作を行なわせることを特徴とする景品獲得ゲーム装置。
【請求項１７】
請求項１６において、
前記動作制御手段は、
前記景品移動部が景品保持動作を行った位置から最も近い開口エリアを特定することを特徴とする景品獲得ゲーム装置。
【請求項１８】
請求項１６において、
前記動作制御手段は、
前記景品移動部が移動を開始した移動開始基準位置に最も近い開口エリアを特定することを特徴とする景品獲得ゲーム装置。
【請求項１９】
請求項１６において、
前記動作制御手段は、
前記景品移動部が景品保持動作を行った位置から開口エリアを通り前記景品移動部が移動を開始した移動開始基準位置へ移動する距離が最短となる経路上にある開口エリアを特定することを特徴とする景品獲得ゲーム装置。
【請求項２０】
請求項１〜１９のいずれかにおいて、
前記景品移動部は、
前記ゲームフィールドの上方を所定の移動範囲内で移動し、
前記景品誘導空間は、
前記景品移動部の移動範囲を包含する範囲で開口形成されていることを特徴とする景品獲得ゲーム装置。
【請求項２１】
請求項１〜２０のいずれかにおいて、
前記景品誘導空間は、
前記ゲームフィールドのほぼ全領域に対応して開口形成されていることを特徴とする景品獲得ゲーム装置。
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
燃焼用空気と燃料を混合する混合室を内部に形成する混合室形成部材と、前記混合室で混合された混合ガスを燃焼して燃焼ガスを生成する燃焼室とを備え、
前記混合室に燃焼用空気を供給する流路を前記混合室形成部材内に設け、前記混合室形成部材に設けられた流路に燃料を供給する燃料供給部を設けた燃焼器。
【請求項２】
燃焼用空気と燃料を混合する混合室を内部に形成する混合室形成部材と、前記混合室で混合された混合ガスを燃焼して燃焼ガスを生成する燃焼室とを備え、
前記混合室形成部材の外周側をほぼ円筒形状に形成し、その外周側から該混合室に燃焼用空気を供給する流路を前記混合室形成部材内に設け、
該流路内の壁面に該燃料供給部を設け、該流路から該混合室に該燃焼用空気及び燃料が供給されるよう構成された燃焼器。
【請求項３】
第一の燃料を供給する燃料ノズルと、該燃料と空気を混合する混合室と、該混合室で混合された混合ガスを燃焼する燃焼室と、前記混合室を内部に形成する混合室形成部材とを備え、
前記混合室形成部材の外周側をほぼ円筒形状に形成し、その外周側から該混合室に燃焼用空気を供給する複数の流路を前記混合室形成部材内に設け、
該流路内の壁面に第二の燃料を供給する供給孔を穿設したことを特徴とする燃焼器。
【請求項４】
請求項１〜３に記載の燃焼器において、
前記流路は、軸方向に複数設けられ、軸方向に複数設けられた該流路からの噴出方向を軸心に対して変化させることを特徴とする燃焼器。
【請求項５】
請求項１〜３に記載の燃焼器において、
前記混合室は、上流側から下流側にしたがい広がりを有するディフーザ状に形成したことを特徴とする燃焼器。
【請求項６】
請求項１〜３に記載の燃焼器において、
前記流路内に配置された、燃料を供給する供給部は、該流路を流れる空気の流れに対してほぼ直角方向に燃料を噴出するよう構成したことを特徴とする燃焼器。
【請求項７】
請求項１〜３に記載の燃焼器において、
前記混合室の内面は、ほぼ円筒状に形成したことを特徴とする燃焼器。
【請求項８】
燃料を供給する燃料ノズルと、
該燃料ノズルの外周側及び下流側に配置され、該燃料と空気を混合する混合室と、
該混合室の下流側に配置され、該混合室で混合された混合ガスを燃焼する燃焼室と、
前記混合室を形成する混合室形成部材とを備え、
前記混合室形成部材の外周側をほぼ円筒形状に形成し、その外周側から該混合室に燃焼用空気を供給する複数の流路を前記混合室形成部材内に設け、該流路内に燃料を供給する供給部を設け、該流路内で燃料と空気を予混合して予混合ガスを該混合室に供給することを特徴とする燃焼器。
【請求項９】
請求項８に記載の燃焼器において、
前記流路は、軸方向に複数設けられ、軸方向に複数設けられた該流路からの噴出方向を軸心に対して変化させることを特徴とする燃焼器。
【請求項１０】
燃焼用空気と燃料を混合する混合室を内部に形成する混合室形成部材と、前記混合室で混合された混合ガスを燃焼して燃焼ガスを生成する燃焼室とを備えた燃焼器の燃焼方法であって、
前記混合室形成部材の外周側から前記混合室形成部材内に設けた流路を介して該混合室に燃焼用空気を供給することを特徴とする燃焼方法。
【請求項１１】
燃焼用空気と燃料を混合する混合室を内部に形成する混合室形成部材と、前記混合室で混合された混合ガスを燃焼して燃焼ガスを生成する燃焼室とを備えた燃焼器の燃焼方法であって、
前記混合室形成部材の外周側はほぼ円筒形状に形成され、前記混合室形成部材内に流路が形成され、該流路内に燃料供給部が形成され、
前記燃料供給部から燃料を供給し、該流路内で空気と燃料とを予混合し、
予混合された予混合ガスを該流路から該混合室に供給することを特徴とする燃焼器の燃焼方法。
【手続補正２】
【補正対象書類名】明細書
【補正対象項目名】０００６
【補正方法】変更
【補正の内容】
【０００６】
燃焼用空気と燃料を混合する混合室を内部に形成する混合室形成部材と、前記混合室で混合された混合ガスを燃焼して燃焼ガスを生成する燃焼室とを備え、前記混合室に燃焼用空気を供給する流路を前記混合室形成部材内に設け、前記混合室形成部材に設けられた流路に燃料を供給する燃料供給部を設ける。
【手続補正３】
【補正対象書類名】明細書
【補正対象項目名】０００８
【補正方法】変更
【補正の内容】
【０００８】
燃焼用空気と燃料を混合する混合室を内部に形成する混合室形成部材を設け、混合室形成部材に混合室に燃焼用空気を供給する流路を設け、前記混合室形成部材に設けられた流路に燃料を供給する燃料供給部を設ける。